(57)【要約】【課題】液晶モニタの明るさを周囲の明るさに適した明るさに自動的に調整することができ、特に簡単な構成及び低コストで実現可能にする。【解決手段】撮像装置１０は、撮影レンズ１６、絞る１８及びＣＣＤ２０を含む撮像手段から所定のフレームレートで得られる画像信号の輝度成分を積分回路３４で積分し、この積算値が所定の基準値になるように露出を制御する自動露出制御手段を有している。撮像装置１０は、所定のフレームレートで得られる画像信号に基づいて動画を液晶モニタ１４に表示する際に、前記自動露出制御手段を利用して被写体の明るさを検知し、この被写体の明るさを周囲の明るさと見なして液晶モニタ１４の明るさ（バックライト４０の明るさ）が適正な明るさになるように調整し、視認性を向上させるようにしている。【選択図】  図１
2007067889.tif 000002
【特許請求の範囲】
【請求項１】
撮影レンズ及び撮像素子を含む撮像手段と、
前記撮像手段から所定の時間間隔で得られる画像信号の輝度成分を積算し、該積算値が所定の基準値になるように露出を制御する自動露出制御手段と、
前記撮像手段から所定の時間間隔で得られる各画像信号に基づいて被写体像を連続的に表示する表示手段と、
前記表示手段の明るさを決定する照明手段と、
前記自動露出制御手段による露出の制御値に基づいて所定の時間間隔で被写体の明るさを検知する明るさ検知手段と、
前記明るさ検知手段によって検知された被写体の明るさが明るい程、前記照明手段の明るさが明るくなるように調整する照明光調節手段と、
を備えたことを特徴とする撮像装置。
【請求項２】
撮影レンズ及び撮像素子を含む撮像手段と、
前記撮像手段から所定の時間間隔で得られる画像信号の輝度成分を積算し、該積算値が所定の基準値になるように露出を制御する自動露出制御手段と、
前記撮像手段から所定の時間間隔で得られる各画像信号に基づいて被写体像を連続的に表示する表示手段と、
前記表示手段の明るさを決定する照明手段と、
前記自動露出制御手段による露出の制御値に基づいて所定の時間間隔で被写体の明るさを検知する明るさ検知手段と、
前記明るさ検知手段によって検知された被写体の明るさが明るい程、前記画像信号の信号レベルが大きくなるように変更する画像信号変更手段と、
を備えたことを特徴とする撮像装置。
【請求項３】
撮影レンズ及び撮像素子を含む撮像手段と、
前記撮像手段を介して得られる画像信号を記録媒体に記録するとともに、前記記録媒体に記録された画像信号を読み出して再生させる記録再生手段と、
前記記録媒体から読み出される画像信号に基づいて画像を表示する表示手段と、
前記表示手段の明るさを決定する照明手段と、
前記記録媒体から読み出される画像信号に基づいて画像を前記表示手段に表示させる際に前記撮像手段を駆動させる制御手段と、
前記制御手段による前記撮像手段の駆動時に得られる画像信号に基づいて被写体の明るさを検知する明るさ検知手段と、
前記明るさ検知手段によって検知された被写体の明るさが明るい程、前記照明手段の明るさが明るくなるように調整する照明光調節手段と、
を備えたことを特徴とする撮像装置。
【請求項４】
撮影レンズ及び撮像素子を含む撮像手段と、
前記撮像手段を介して得られる画像信号を記録媒体に記録するとともに、前記記録媒体に記録された画像信号を読み出して再生させる記録再生手段と、
前記記録媒体から読み出される画像信号に基づいて画像を表示する表示手段と、
前記記録媒体から読み出される画像信号に基づいて画像を前記表示手段に表示させる際に前記撮像手段を駆動させる制御手段と、
前記制御手段による前記撮像手段の駆動時に得られる画像信号に基づいて被写体の明るさを検知する明るさ検知手段と、
前記明るさ検知手段によって検知された被写体の明るさが明るい程、前記表示手段に出力される画像信号の信号レベルが大きくなるように変更する画像信号変更手段と、
を備えたことを特徴とする撮像装置。
【請求項５】
前記表示手段は、液晶モニタであることを特徴とする請求項１乃至４のいずれかに記載の撮像装置。
【請求項６】
前記照明手段は、発光ダイオード又は蛍光管を含み、前記照明光調整手段は、前記発光ダイオード又は蛍光管から発する光量を調整することを特徴とする請求項１又は３に記載の撮像装置。
【請求項７】
前記画像信号変更手段は、前記表示手段に出力される前記画像信号のゲイン、又はゲイン及びオフセットを調整することを特徴とする請求項２又は４に記載の撮像装置。
【請求項８】
前記制御手段は、前記撮像手段を駆動させたときに得られる画像信号に基づいて画像を再生又は記録させる信号処理系には通電しないように制御することを特徴とする請求項３又は４に記載の撮像装置。
【請求項９】
前記制御手段は、前記記憶媒体から読み出した画像信号に基づく画像の再生開始時のみ前記撮像手段を駆動させることを特徴とする請求項３又は４に記載の撮像装置。
【請求項１０】
前記撮像手段を介して得られた画像信号に基づいて被写体像を連続的に表示させるときに、前記自動露出制御手段による露出の制御値に基づいて検知される被写体の明るさに応じて前記所定の時間間隔を変更させる変更手段を更に備えたことを特徴とする請求項１又は２に記載の撮像装置。
【発明の詳細な説明】
【技術分野】
【０００１】
本発明は撮像装置に係り、特に液晶モニタ等の表示装置を備えた撮像装置に関する。
【背景技術】
【０００２】
この種の撮像装置の液晶モニタは、晴天の屋外では太陽光の影響で極めて見難くなってしまうという欠点がある。また、夕方などは、かえって明るくなりすぎ、こちらも見難くなる。
【０００３】
従来、このような不具合を解決するために、マニュアル操作によって液晶モニタの明るさをコントロールできるようになっている。
【０００４】
また、レリーズスイッチの半押し時に測距や測光等の撮影準備動作を実行する撮像装置において、前記撮影準動作時に測光された被写体の輝度に基づいて被写体輝度に比例した液晶モニタのバックライトの明るさを決定して、バックライトの明るさを自動調整するものがある（特許文献１）
【特許文献１】特開平０８−２４２３９８号公報
【発明の開示】
【発明が解決しようとする課題】
【０００５】
ところで、マニュアル操作によって液晶モニタの明るさをコントロールするのは煩雑であるという問題がある。
【０００６】
一方、特許文献１に記載の撮像装置は、レリーズスイッチの半押し時に測光された被写体輝度に基づいて液晶モニタのバックライトの明るさを調整するため、レリーズスイッチを半押しする前には液晶モニタの明るさを調整することができず、また、レリーズスイッチの半押し後は、測光値が固定（ＡＥロック）されるため、スルー画の明るさを周囲の明るさに応じて逐次調整することができないという問題がある。
【０００７】
更に、記録媒体に記録された画像を液晶モニタに再生する場合、液晶モニタの明るさを調整することができない。
【０００８】
本発明はこのような事情に鑑みてなされたもので、レリーズスイッチの操作前であっても表示装置に表示される画像の明るさを周囲の明るさに適した明るさに自動的に調整することができ、また、再生画像の明るさも同様に調整することができる撮像装置を提供することを目的とする。
【課題を解決するための手段】
【０００９】
前記目的を達成するために本発明に係る撮像装置は、撮影レンズ及び撮像素子を含む撮像手段と、前記撮像手段から所定の時間間隔で得られる画像信号の輝度成分を積算し、該積算値が所定の基準値になるように露出を制御する自動露出制御手段と、前記撮像手段から所定の時間間隔で得られる各画像信号に基づいて被写体像を連続的に表示する表示手段と、前記表示手段の明るさを決定する照明手段と、前記自動露出制御手段による露出の制御値に基づいて所定の時間間隔で被写体の明るさを検知する明るさ検知手段と、前記明るさ検知手段によって検知された被写体の明るさが明るい程、前記照明手段の明るさが明るくなるように調整する照明光調節手段と、を備えたことを特徴としている。
【００１０】
本発明の他の態様の撮像装置は、撮影レンズ及び撮像素子を含む撮像手段と、前記撮像手段から所定の時間間隔で得られる画像信号の輝度成分を積算し、該積算値が所定の基準値になるように露出を制御する自動露出制御手段と、前記撮像手段から所定の時間間隔で得られる各画像信号に基づいて被写体像を連続的に表示する表示手段と、前記表示手段の明るさを決定する照明手段と、前記自動露出制御手段による露出の制御値に基づいて所定の時間間隔で被写体の明るさを検知する明るさ検知手段と、前記明るさ検知手段によって検知された被写体の明るさが明るい程、前記画像信号の信号レベルが大きくなるように変更する画像信号変更手段と、を備えたことを特徴としている。
【００１１】
即ち、前記自動露出制御手段は、動画撮影中（スルー画像を含む）に逐次露出制御を行っているため、この自動露出制御手段による露出の制御値に基づいて被写体の明るさを連続的に検知することができる。本発明では、このようにして検知される被写体の明るさを周囲の明るさと見なし、前記表示手段に表示される画像が周囲の明るさにかかわらず見やすいように表示手段の明るさを変更し、あるいは画像信号の信号レベルを変更するようにしている。
【００１２】
本発明の更に他の態様の撮像装置は、撮影レンズ及び撮像素子を含む撮像手段と、前記撮像手段を介して得られる画像信号を記録媒体に記録するとともに、前記記録媒体に記録された画像信号を読み出して再生させる記録再生手段と、前記記録媒体から読み出される画像信号に基づいて画像を表示する表示手段と、前記表示手段の明るさを決定する照明手段と、前記記録媒体から読み出される画像信号に基づいて画像を前記表示手段に表示させる際に前記撮像手段を駆動させる制御手段と、前記制御手段による前記撮像手段の駆動時に得られる画像信号に基づいて被写体の明るさを検知する明るさ検知手段と、前記明るさ検知手段によって検知された被写体の明るさが明るい程、前記照明手段の明るさが明るくなるように調整する照明光調節手段と、を備えたことを特徴としている。
【００１３】
本発明の他の態様の撮像装置は、撮影レンズ及び撮像素子を含む撮像手段と、前記撮像手段を介して得られる画像信号を記録媒体に記録するとともに、前記記録媒体に記録された画像信号を読み出して再生させる記録再生手段と、前記記録媒体から読み出される画像信号に基づいて画像を表示する表示手段と、前記記録媒体から読み出される画像信号に基づいて画像を前記表示手段に表示させる際に前記撮像手段を駆動させる制御手段と、前記制御手段による前記撮像手段の駆動時に得られる画像信号に基づいて被写体の明るさを検知する明るさ検知手段と、前記明るさ検知手段によって検知された被写体の明るさが明るい程、前記表示手段に出力される画像信号の信号レベルが大きくなるように変更する画像信号変更手段と、を備えたことを特徴としている。
【００１４】
即ち、記録媒体に記録された画像の再生時には、通常、撮像手段は動作していないため、被写体の明るさを検知することはできないが、本発明では、被写体の明るさを検知するために撮像手段を動作させる。そして、撮像手段を介して検知される被写体の明るさを周囲の明るさと見なし、表示手段に表示される画像が周囲の明るさにかかわらず見やすいように表示手段の明るさを変更し、あるいは画像信号の信号レベルを変更するようにしている。
【００１５】
前記表示手段は、液晶モニタであり、前記照明手段は、発光ダイオード又は蛍光管を含み、前記照明光調整手段は、前記発光ダイオード又は蛍光管から発する光量を調整することを特徴としている。
【００１６】
前記画像信号変更手段は、前記表示手段に出力される前記画像信号のゲイン、又はゲイン及びオフセットを調整することを特徴としている。
【００１７】
また、前記制御手段は、前記撮像手段を駆動させたときに得られる画像信号に基づいて画像を再生又は記録させる信号処理系には通電しないように制御することを特徴としている。即ち、画像再生時には、被写体の明るさを検知するための手段のみに通電し、消費電力の無駄を省くために画像を再生又は記録させる信号処理系には通電しないようにしている。
【００１８】
更に、前記制御手段は、前記記憶媒体から読み出した画像信号に基づく画像の再生開始時のみ前記撮像手段を駆動させることを特徴としている。
【００１９】
また、本発明の他の態様によれば、前記撮像手段を介して得られた画像信号に基づいて被写体像を連続的に表示させるときに、前記自動露出制御手段による露出の制御値に基づいて検知される被写体の明るさに応じて前記所定の時間間隔を変更させる変更手段を更に備えたことを特徴としている。
【発明の効果】
【００２０】
本発明によれば、撮像装置が有している撮像手段を利用し、この撮像手段を介して所定の時間間隔で得られる画像信号の輝度成分に基づいて検知される被写体の明るさを周囲の明るさと見なし、その周囲の明るさに応じて表示手段の明るさを自動調整するようにしたため、周囲の明るさに応じて最適な明るさに調整することができ、また、周囲の明るさを検出するためのセンサ等を新たに設ける必要がないため、簡単な構成及び低コストで実現することができる。また、記録媒体から読み出された画像を再生させる場合には、前記撮像手段を動作させることで、再生画像の明るさも同様に調整することができる。
【発明を実施するための最良の形態】
【００２１】
以下添付図面に従って本発明に係る撮像装置の好ましい実施の形態について詳説する。
【００２２】
図１は本発明に係る撮像装置の実施の形態を示すブロック図である。
【００２３】
この撮像装置１０は、レリーズスイッチ（図示せず）の操作により静止画や動画をメモリカード１２に記録するデジタルカメラであり、液晶モニタ１４（ＬＣＤパネル１５及びバックライト４０を含む）が装置背面に設けられている。
【００２４】
また、撮像装置１０は、静止画をメモリカード１２に記録する静止画記録モードと、動画をメモリカード１２に記録する動画記録モードと、メモリカード１２に記録された静止画又は動画を液晶モニタ１４に表示させる再生モードとを有しており、静止画記録モード、動画記録モード及び再生モードは、モード切替手段（モードダイヤルなど）によって適宜選択できるようになっている。更に、撮像装置１０は、静止画記録モード又は動画記録モード時にメモリカード１２に記録されない動画（スルー画）を液晶モニタ１４に表示するムービーモードを有している。
【００２５】
上記静止画記録モード、又は動画記録モードの設定時において、被写体を示す画像光は、撮影レンズ１６及び絞り１８を介して固体撮像素子（ＣＣＤ）２０の受光面に結像される。
【００２６】
ＣＣＤ２０に蓄積された信号電荷は、ＣＣＤドライバ２２から加えられる転送パルスによって信号電荷に応じた電圧信号として順次読み出される。尚、ＣＣＤ２０には、シャッタゲートを介してシャッタドレインが設けられており、シャッタゲートをシャッタゲートパルスによって駆動することにより、蓄積した信号電荷をシャッタドレインに掃き出すことができる。即ち、このＣＣＤ２０は、ＣＣＤドライバ２２を介して加えられるシャッタゲートパルスによって各センサに蓄積される電荷の蓄積時間（シャッタ速度）を制御する、いわゆる電子シャッタ機能を有している。
【００２７】
ＣＣＤ２０から順次読み出された電圧信号は、Ａ／Ｄ変換器２４を介して各画素ごとのデジタルのＲ、Ｇ、Ｂ信号に変換されてＤＳＰ（デジタル信号処理専用のマイクロプロセッサ）２６に加えられる。
【００２８】
ＤＳＰ２６は、図示しないカメラ操作部材からの入力に基づきカメラ全体の動作を統括制御する中央処理装置（ＣＰＵ）と、Ａ／Ｄ変換器２４から入力するＲ、Ｇ、Ｂ信号から輝度信号と色差信号とを生成（ＹＣ処理）するＹＣ処理回路と、輝度信号及び色差信号（ＹＣ信号）をＲ、Ｇ、Ｂ信号に変換するコンバータと、ＹＣ信号をJPEG (joint photgraphic expertsgroup)に圧縮し又は圧縮されたＹＣ信号を伸長する圧縮伸長処理回路とを含んでいる。
【００２９】
上記ＤＳＰ２６には、メモリ（ＳＤＲＡＭ：Synchronous DRAM）２８が接続されている。メモリ２８は、メインメモリ及びグラフィックス・メモリとして機能し、スルー画用のメモリ領域を含んでいる。
【００３０】
ＤＳＰ２６は、ムービーモード時には、所定のフレームレート（３０フレーム／秒、６０フレーム／秒）で連続的にＡ／Ｄ変換器２４を介して入力するＲ，Ｇ，Ｂ信号をＹＣ信号（輝度信号Ｙとクロマ信号Ｃ）に変換し、このＹＣ信号をメモリ２８に一時記憶するとともに、１フレームごとに記憶内容を更新し、また、メモリ２８に記憶されたＹＣ信号をＣＰＵからのコマンドによって読み出し、これをコンバータに出力する。
【００３１】
コンバータは、ＹＣ／ＲＧＢコンバータ、Ｄ／Ａコンバータを含み、入力するＹＣ信号をＲ，Ｇ，Ｂ信号に変換し、更にＤ／Ａコンバータでアナログ信号に変換したのち、液晶ドライバ回路３０に出力する。
【００３２】
次に、ムービーモード時の露出制御について説明する。
【００３３】
図２のタイミングチャートにおいて、VDは垂直同期信号、FLD は奇数フィールドと偶数フィールドを示す信号、Cam-idは、マイコンプログラム内で同期をとるためのムービーカンウタ値であり、０〜３までを繰り返しカウントする。
【００３４】
Cam-idが０、１の時には、積算１、２を実行する。積算１、２では、同期分離回路３２で同期分離後の輝度信号Ｙを積分回路３４にて１フィールド分積算し、その積算値によって現在の露出量を求めるとともに、ＣＣＤの基準露出量からのずれ量を求める。そして、前記求めたずれ量を修正すべくシャッタ速度を求める露出計算を行う。Cam-idが２の時に上記のようにして求めたシャッタ速度によって露出制御する。尚、ムービー時には、絞り１８は、ドライバ３６を介して開放絞り（例えば、Ａｖ値＝２．５）で固定されるように制御されている。
【００３５】
そして、Cam-idのカウント値（０〜３）に応じて上記動作を繰り返し実行する。従って、動画の露出制御は、４フィールド毎に繰り返し行われる。
【００３６】
液晶ドライバ回路３０は、入力するＲ，Ｇ，Ｂ信号等により液晶表示に必要な信号を生成して液晶モニタ１４に出力し、液晶モニタ１４に画像を表示させる。また、ＤＳＰ２６は、バックライト制御回路３８を介してバックライト４０を制御する。
【００３７】
図３は液晶ドライバ回路３０及びＬＣＤパネル１５の詳細を示すブロック図である。
【００３８】
図３に示すように、液晶ドライバ回路３０は、入力するＲ，Ｇ，Ｂ信号等に基づいてＲ′、Ｇ′、Ｂ′信号、同期信号、駆動制御信号を生成する回路（図示せず）、ドライバ回路３０Ａ、駆動パルス発生回路３０Ｂ等から構成されており、Ｒ、Ｇ、Ｂ信号はドライバ回路３０Ａに加えられ、同期信号は駆動パルス発生回路３０Ｂに加えられる。
【００３９】
ドライバ回路３０Ａは、Ｒ、Ｇ、Ｂ信号を１水平ライン毎に極性を反転させてＬＣＤパネル１５の水平ゲートスイッチ部１５Ａに出力し、液晶素子に一定電圧が長時間印加されないようにしている。
【００４０】
駆動パルス発生回路３０Ｂは、垂直同期信号及び水平同期信号に基づいてＬＣＤパネル１５を駆動するための水平パルス及び垂直パルスを発生する。
【００４１】
ＬＣＤパネル１５は、水平ゲートスイッチ部１５Ａ、水平シフトレジスタ１５Ｂ、垂直シフトレジスタ１５Ｃ、及び容量素子ＬＣを含む液晶素子がマトリックス配列された表示部１５Ｄから構成されており、水平ゲートスイッチ部１５Ａには、前記ドライバ回路３０ＡからＲ′、Ｇ′、Ｂ′信号が加えられ、水平シフトレジスタ１５Ｂ及び垂直シフトレジスタ１５Ｃには、前記駆動パルス発生回路３０Ｂからそれぞれ水平パルス及び垂直パルスが加えられるようになっている。
【００４２】
そして、水平ゲートスイッチ部１５Ａに加えられるＲ′、Ｇ′、Ｂ′信号は、水平パルスによって駆動される水平シフトレジスタ１５Ｂにより取り込まれ、垂直パルスに基づいて駆動される垂直シフトレジスタ１５Ｃにより表示部１５Ｄの所定のラインの液晶素子に印加される。表示部１５Ｄの各液晶素子は、印加電圧に応じて透過光を変調し、これにより画像を表示する。
【００４３】
次に、液晶モニタ１４の明るさを自動的に調整する第１の実施の形態について説明する。
【００４４】
前述したようにムービーモードの露出制御時には、ＣＣＤ２０から基準露出量の信号が得られるように４フィールドごとに固定絞りのもとでシャッタ速度を求める露出計算を行い、その算出したシャッタ速度によって露出制御を行っている。従って、ＤＳＰ２６は、現在の露出制御値（絞り値及びシャッタ速度）から被写体の明るさ（露出Ｅｖ値）を検知することができる。
【００４５】
ＤＳＰ２６は、現在の露出制御値によって検知可能な被写体の明るさに応じて、被写体の明るさが明るいほど大きな値のゲインコントロール信号を液晶ドライバ回路３０に出力する。このゲインコントロール信号は、図３に示すようにドライバ回路３０Ａに加えられる。ドライバ回路３０Ａは、入力するゲインコントロール信号に応じてＲ′、Ｇ′、Ｂ′信号を増幅し、増幅後のＲ′、Ｇ′、Ｂ′信号をＬＣＤパネル１５に出力する。
【００４６】
これにより、液晶モニタ１４に表示される動画は、被写体の明るさ（周囲の明るさ）が明るいほど明るい画像となり、視認性が上がる。
【００４７】
尚、ＤＳＰ２６は、被写体の明るさに応じて連続的に変化するゲインコントロール信号を出力してもよいし、段階的に変化するゲインコントロール信号を出力してもよい。また、ドライバ回路３０Ａは、Ｒ′、Ｇ′、Ｂ′信号のオフセット及びゲインをコントロールして動画のコントラストを可変させるようにしてもよい。
【００４８】
更に、ＤＳＰ２６からＲ，Ｇ，Ｂ信号とゲインコントロール信号を液晶ドライバ回路３０に出力するようにしたが、Ｒ，Ｇ，Ｂ信号の代わりに、ＹＣ信号を出力してもよいし、また、ＹＣ信号を出力する場合には、ゲインコントロール信号を出力する代わりに、事前にゲインコントロールしたＹ信号を出力するようにしいもよい。尚、ＤＳＰ２６からＹＣ信号を液晶ドライバ回路３０に出力する場合には、液晶ドライバ回路３０にてＹＣ信号をＲＧＢ信号に変換することは言うまでもない。
【００４９】
次に、液晶モニタ１４の明るさを自動的に調整する第２の実施の形態について説明する。
【００５０】
第２の実施の形態では、被写体の明るさに応じてバックライト４０の明るさを調整するようにしている。
【００５１】
即ち、バックライト４０は、光源としての複数個の発光ダイオード（ＬＥＤ）と、このＬＥＤから発光された光をＬＣＤパネル１５の下面に導く導光板とから構成されている。ＤＳＰ２６は、被写体の明るさを検知して被写体が明るいほど、バックライト４０の照明光が明るくなるようにバックライト制御回路３８を介してＬＥＤの発光量（ＬＥＤに流す電流）を制御する。
【００５２】
これにより、周囲の明るさが明るいときには液晶モニタ１４に表示される動画は、より明るく表示され、反対に暗いときには暗めに表示して視認性を上げるようにしている。尚、バックライト４０の明るさは、被写体の明るさに応じて連続的に制御してもよいし、段階的に制御してもよい。また、光源として蛍光管を使用しているバックライトの場合には、蛍光管を駆動するインバータへのPWM（パルス幅変調）によってバックライトの輝度を調整する。
【００５３】
上記ムービーモード時の露出制御は、絞りを固定し、電子シャッタのシャッタ速度で行うようにしたが、これに限らず、シャッタ速度を一定（例えば、１／６０秒）にし、絞りを連続的に制御して行うようにしてもよい。
【００５４】
また、被写体の明るさに応じてフレームレートを変更してもよく、特に被写体が暗い場合にはフレームレートを低くし、１フレーム当たりの露光時間を長くとるようにしてもよい。
【００５５】
次に、静止画記録モード又は動画記録モード時にメモリカード１２に記録された静止画や動画を液晶モニタ１４に表示する再生モード時に、液晶モニタ１４の明るさを自動的に調整する第３の実施の形態について説明する。
【００５６】
再生モード時には、ＣＣＤ２０を含む撮像系を動作させるとともに、同期分離回路３２、積分回路３４を動作させ、撮影モード時と同様に被写体輝度の情報を取得する。尚、再生モード時には画像の記録を行わないため、画像の記録系（画像処理回路、圧縮伸長処理回路、記録処理回路等）ヘの電源の供給は行わないようにする。また、レンズバリアを有する撮像装置の場合、再生モード時にレンズバリアは開放させるが、撮影レンズの繰り出し等のレンズ動作は行わなくてもよい。
【００５７】
そして、第１、第２の実施の形態と同様に、撮像系を介して被写体の明るさ（即ち、周囲の明るさ）に応じて液晶モニタ１４の明るさを調整し、再生画像の視認性を上げる。
【００５８】
再生モード時には、液晶モニタ１４に表示させる画像を撮像する必要がないため、スルー画のフレームレートよりも長い時間間隔で撮像系を動作させるようにしてもよく、また、再生モードで電源を投入したときのみ、又は撮影モードから再生モードに切り替えたときの最初の再生時のみ撮像系を動作させるようにしてもよい。
【００５９】
また、再生モード時には、液晶モニタ１４に表示させる画像を撮像する必要がないため、露出制御は行わなくてもよい。即ち、ＣＣＤ２０が飽和しないような所定の絞り、及びシャッタ速度に固定して被写体光を受光し、この受光量に基づいて被写体の明るさを検知することができる。
【００６０】
更に、液晶モニタ１４の明るさを自動調整する「オート」モードと、手動調整する「マニュアル」モードとを切り替える切替手段を設け、ユーザが必要に応じてモード切替えを行うようにしてもよい。
【００６１】
尚、この実施の形態では、撮像装置としてデジタルカメラを例に説明したが、本発明はビデオカメラにも適用できる。また、
【図面の簡単な説明】
【００６２】
【図１】図１は本発明に係る撮像装置の実施の形態を示すブロック図である。
【図２】図２はムービーモード時のＡＥシーケンスを示すタイミングチャートである。
【図３】図３は液晶ドライバ回路及びＬＣＤパネルの詳細を示すブロック図である。
【符号の説明】
【００６３】
１０…撮像装置、１４…液晶モニタ、１５…ＬＣＤパネル、１６…撮影レンズ、１８…絞り、２０…固体撮像素子（ＣＣＤ）、２６…ＤＳＰ、３０…液晶ドライバ回路、３０Ａ…ドライバ回路、３０Ｂ…駆動パルス発生回路、３２…同期分離回路、３４…積分回路、３８…バックライト制御回路
【図１】
2007067889.tif 000003
【図２】
2007067889.tif 000004
【図３】
2007067889.tif 000005